(57)【特許請求の範囲】
【請求項１】
通信端末と無線通信を実行するダイレクト無線通信機能を備える印刷装置であって、
プリントサービスを含む複数のサービスの中から、前記ダイレクト無線通信機能において有効にするサービスをユーザの指示に従って設定する第１の設定手段と、
前記第１の設定手段によって設定されているサービスに対応するポートフィルタを適用して前記ダイレクト無線通信機能を実行するように前記印刷装置を制御する制御手段とを備え、
前記ポートフィルタは、有線ＬＡＮインターフェースの通信には影響しないことを特徴とする印刷装置。
【請求項２】
前記ダイレクト無線通信機能にポートフィルタを適用するか否かをユーザの指示に従って設定する第２の設定手段とを備え、
前記ダイレクト無線通信機能にポートフィルタを適用すると前記第２の設定手段によって設定されている場合に、前記制御手段は、前記第１の設定手段によって設定されているサービスに対応するポートフィルタを適用して前記ダイレクト無線通信機能を実行するように前記印刷装置を制御することを特徴とする請求項１に記載の印刷装置。
【請求項３】
前記複数のサービスは、前記プリントサービスと、スキャンサービスと、送信サービスと、ディスカバリサービスの少なくともいずれかを含むことを特徴とする請求項１又は２に記載の印刷装置。
【請求項４】
通信端末と無線通信を実行するダイレクト無線通信機能を備える印刷装置を制御する制御方法であって、
第１の設定手段が、プリントサービスを含む複数のサービスの中から、前記ダイレクト無線通信機能において有効にするサービスをユーザの指示に従って設定する第１の設定工程と、
制御手段が、前記第１の設定工程で設定されているサービスに対応するポートフィルタを適用して前記ダイレクト無線通信機能を実行するように前記印刷装置を制御する制御工程とを備え、
前記ポートフィルタは、有線ＬＡＮインターフェースの通信には影響しないことを特徴とする印刷装置の制御方法。
【請求項５】
コンピュータを、請求項１乃至３のいずれか１項に記載の印刷装置の各手段として機能させるためのプログラム。
【発明の詳細な説明】
【技術分野】
【０００１】
本発明は、印刷装置、印刷装置の制御方法及びプログラムに関する。
【背景技術】
【０００２】
複合機やプリンタ等の印刷装置には無線ＬＡＮ機能を備えるものが増えている。無線ＬＡＮ機能を備える印刷装置は、アクセスポイントを介してＰＣやモバイル端末等の外部装置から印刷データを受信し、その受信した印刷データに基づいて印刷処理を実行する。このとき、その印刷装置が接続されているネットワークは、ネットワーク管理者が許可していない端末が接続できない等、セキュリティの面で保護されている場合が多い。
【０００３】
また印刷装置の中には、アクセスポイントのような中継装置を介さずに外部装置との間で直接無線通信を行うものも存在する。特許文献１には、Ｗｉ−Ｆｉ Ｄｉｒｅｃｔを用いてモバイル端末との間でダイレクト無線通信を行う印刷装置が記載されている。
【０００４】
この直接無線通信方式の場合、ユーザはまず印刷装置の操作パネルからＷｉ−Ｆｉ Ｄｉｒｅｃｔの開始ボタン等を選択して直接無線通信のための処理を開始する。次にユーザは、モバイル端末の操作パネルの接続ボタン等を操作することにより、モバイル端末から印刷装置に接続要求が送信されダイレクト無線接続が確立される。
【先行技術文献】
【特許文献】
【０００５】
【特許文献１】特開２０１３−２０５９８２号公報
【発明の概要】
【発明が解決しようとする課題】
【０００６】
このように印刷装置とモバイル端末とが直接無線通信を行うことで、モバイル端末のユーザにとって利便性が向上する一方、中継装置を介さないため、ネットワーク管理者が許可していない端末が、その印刷装置に接続されるという危険がある。印刷装置は、セキュリティが保証されたネットワークに接続されて使用されることを前提としている。従って、直接無線通信で通信する場合、悪意のあるユーザが印刷装置に無線でアクセスして、その印刷装置から重要なデータを盗み取ったり、印刷装置に対してサイバー攻撃を行う等の危険性がある。
【０００７】
本発明の目的は、上記従来技術の課題を解決することにある。
【０００８】
本発明の特徴は、ダイレクト無線通信機能で通信する印刷装置に対するセキュリティを保証する技術を提供することにある。
【課題を解決するための手段】
【０００９】
上記目的を達成するために本発明の一態様に係る印刷装置は以下のような構成を備える。即ち、
通信端末と無線通信を実行するダイレクト無線通信機能を備える印刷装置であって、
プリントサービスを含む複数のサービスの中から、前記ダイレクト無線通信機能において有効にするサービスをユーザの指示に従って設定する第１の設定手段と、
前記第１の設定手段によって設定されているサービスに対応するポートフィルタを適用して前記ダイレクト無線通信機能を実行するように前記印刷装置を制御する制御手段とを備え、前記ポートフィルタは、有線ＬＡＮインタフェースの通信には影響しないことを特徴とする。
【発明の効果】
【００１０】
本発明によれば、ダイレクト無線通信機能で通信する印刷装置に対するセキュリティを保証することができる。
【００１１】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１２】
添付図面は明細書に含まれ、その一部を構成し、本発明の実施形態を示し、その記述と共に本発明の原理を説明するために用いられる。
【図１】本発明の実施形態１に係る通信システムの構成を説明する図。
【図２】実施形態１に係る印刷装置のハードウェア構成を説明するブロック図。
【図３】実施形態１に係る印刷装置がダイレクト無線通信するときのネットワークポートの制御処理を説明するフローチャート。
【図４】実施形態１に係る印刷装置の操作部に表示されるダイレクト無線通信用のポートに対してフィルタを設定するＵＩ画面の一例を示す図。
【図５】実施形態１に係る印刷装置がダイレクト無線通信を開始或いは停止させるＵＩ画面の一例を示す図。
【図６】実施形態２に係る印刷装置の操作部に表示されるダイレクト無線通信サービスで利用できるサービスを設定する画面例を示す図。
【図７】実施形態２に係る印刷装置がダイレクト無線通信でサービスを使用するための処理を説明するフローチャート。
【図８】実施形態３に係る印刷装置の操作部に表示される、ダイレクト無線通信用のポートへのフィルタ設定を行うＵＩ画面の一例を示す図。
【図９】実施形態に係る印刷装置の操作部に表示されるダイレクト無線通信用のポートに設定されるフィルタリストの画面の一例を示す図。
【図１０】実施形態３に係る印刷装置がダイレクト無線通信するときのネットワークポートの制御処理を説明するフローチャート。
【図１１】実施形態に係る印刷装置に設定されているローカルエリアネットワーク（ＬＡＮ）用のインターフェースで使用するポート番号へフィルタ設定を行うＵＩ画面の一例を示す図。
【発明を実施するための形態】
【００１３】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１４】
［実施形態１］
図１は、本発明の実施形態１に係る通信システムの構成を説明する図である。
【００１５】
印刷装置１００は、２つ以上のネットワークインターフェースを有し、これらが並行して動作するマルチホーム機能を搭載する。印刷装置１００はＰＣ端末１１０と有線ＬＡＮ１０１を経由して接続されており、このとき印刷装置１００は有線ＬＡＮインターフェースのＩＰアドレス「１７２．２４．１１．１」を使用している。また印刷装置１００は、アクセスポイントのような中継装置を介さずに、モバイル端末（通信端末）１２０と直接無線通信を行うダイレクト無線通信機能を備えている。このダイレクト無線通信では、ダイレクト無線インターフェースのＩＰアドレス「１９２．１６８．２２．１」を使用する。この場合、印刷装置１００が無線通信のアクセスポイントとなってモバイル端末１２０からの接続要求を受付け、モバイル端末１２０がクライアントとなって印刷装置１００に接続要求を送信して直接無線通信を確立する。尚、図１において、ＰＣ端末１１０及びモバイル端末１２０に付与されたＩＰアドレスは、ＰＣ端末１１０及びモバイル端末１２０がそれぞれ認識している印刷装置１００のＩＰアドレスを示している。
【００１６】
図２は、実施形態１に係る印刷装置１００のハードウェア構成を説明するブロック図である。実施形態１に係る印刷装置１００は、スキャナ機能を備えた複合機を想定しているが、スキャナ機能を備えないプリンタであってもよい。
【００１７】
ＣＰＵ２０１は、ＲＯＭ２０３が記憶している制御プログラムを読み出し実行することにより、この印刷装置１００の動作を制御するための様々な制御処理を実行する。ＲＯＭ２０３は、制御プログラムや各種データを記憶している。ＲＡＭ２０２は、ＣＰＵ２０１の主メモリ、ワークエリア等の一時記憶領域として用いられる。ＨＤＤ２０４は、印刷データやスキャン画像等の様々なデータを記憶する。
【００１８】
尚、印刷装置１００の場合、１つのＣＰＵ２０１が後述するフローチャートに示す各処理を実行するものとするが、他の態様であっても構わない。例えば、複数のＣＰＵが協働して後述するフローチャートに示す各処理を実行するようにすることもできる。
【００１９】
プリンタ２０７は、外部装置から受信した印刷データや、スキャナ２０９によって生成された画像データ等に基づいて、シート（用紙）に画像を印刷する。スキャナ２０９は、原稿を読み取ってスキャン画像データ（読取画像データ）を生成する。スキャナ２０９によって生成された画像データは、プリンタ２０７によって印刷されたり、ＨＤＤ２０４に記憶される。
【００２０】
操作部２１１は、タッチパネル機能を有する表示部やキーボードを備え、後述する各種画面を表示する。ユーザは、操作部２１１を介して印刷装置１００に対して各種指示や情報を入力することができる。無線ＬＡＮチップ２１５は、無線ＬＡＮ通信で外部装置との通信を実現し、無線ＬＡＮの接続種別として、無線インフラやダイレクト無線のような接続種別を有する。ダイレクト無線インターフェース部２１２は、無線ＬＡＮチップ２１５を介して、モバイル端末１２０等の外部装置との間で直接無線通信を実行する。無線インフラインターフェース部２１４は、無線ＬＡＮチップ２１５を介して、アクセスポイント１３０等の外部装置との間で無線ＬＡＮ通信を実行する。有線ＬＡＮインターフェース部２１３は、ＰＣ端末１１０等の外部装置との間で有線ＬＡＮチップ２１６を介して有線ＬＡＮで通信を実行する。
【００２１】
次に印刷装置１００がダイレクト無線通信するときのネットワークポートの制御処理を図３のフローチャートを用いて説明する。
【００２２】
図３は、実施形態１に係る印刷装置１００がダイレクト無線通信するときのネットワークポートの制御処理を説明するフローチャートである。尚、このフローチャートに示す各ステップは、ＣＰＵ２０１がＲＯＭ２０３等のメモリに格納された制御プログラムをＲＡＭ２０２に展開して実行することによって実現される。
【００２３】
まずＳ３０１でＣＰＵ２０１は、例えばモバイル端末１２０等の外部端末からダイレクト無線接続の開始要求を受信したと判定するとＳ３０２に進む。Ｓ３０２でＣＰＵ２０１は、印刷装置１００に設定されているダイレクト無線接続のポートフィルタ設定が有効か否かを判定する。ここでダイレクト接続のポートフィルタ設定が有効か否かは、例えば図４に示すＵＩ画面を介して設定された値（ＲＡＭ２０２に保存されている）を参照して判定する。
【００２４】
図４は、実施形態１に係る印刷装置１００の操作部２１１に表示されるダイレクト無線接続用のポートに対してフィルタを設定するＵＩ画面の一例を示す図である。
【００２５】
ユーザは、この画面で「ＯＮ」ボタン４０１或いは「ＯＦＦ」ボタン４０２を選択してＯＫボタン４０３を押下する。これによりＣＰＵ２０１は、その設定されたポートのフィルタ設定を有効にする無効にするかを示す値（オン或いはオフ）をＲＡＭ２０２に記憶する。ここで「ＯＮ」ボタン４０１が選択されて値（オン）が記憶されると、ダイレクト無線通信でのポートのフィルタ設定を有効にすると判定する。図４は、「ＯＮ」ボタン４０１が選択された状態を示している。
【００２６】
Ｓ３０２でＣＰＵ２０１は、ダイレクト無線接続のポートフィルタ設定が無効（オフ）と判定するとＳ３０４に進み、ＣＰＵ２０１は、ダイレクト無線接続用のＩ／Ｆにポートフィルタ機能を適用させず、あらゆるポート番号からの通信を許容させる。一方、Ｓ３０２でダイレクト無線接続のポートフィルタ設定が有効（オン）であると判定するとＳ３０３に進む。Ｓ３０３でＣＰＵ２０１は、ダイレクト無線接続時に制限される、予め設定されている通信ポートへのフィルタ操作を実施する。即ち、フィルタが設定された通信ポートを介した無線通信を許可しない。このフィルタは、ダイレクト無線接続のインターフェース以外のインターフェースには作用せず、例えば有線ＬＡＮインターフェースからの通信には影響しない。
【００２７】
そのため、例えば図１１に示すようなＬＡＮ接続用のポート番号は、このポートフィルタ設定の影響を受けない。また、制限される通信ポートはユーザが設定できるものではなく、印刷装置１００に予め設定されているポート番号が対象となる。
【００２８】
具体例としては、ダイレクト無線接続のインターフェース名を「ｗｌａｎ０」、有線ＬＡＮのインターフェース名を「ｅｔｈ０」とする。このときインターフェース名「ｗｌａｎ０」で受信又は送信する通信データに対して、ポートフィルタとして任意のポート番号、例えば「９１００」のみが「ＡＣＣＥＰＴ」として設定されているとする。この場合、ポート番号「９１００」のデータのみを受付け、それ以外のデータを破棄する。但し、有線ＬＡＮのインターフェース「ｅｔｈ０」で受信又は送信する通信データに対しては、ポート番号「９１００」以外のデータであってもフィルタ処理を行わない。
【００２９】
これにより印刷装置１００は、ダイレクト無線接続のインターフェースでデータを送受信する場合、許可されたポート番号以外で、データを送受信できないようにできる。
【００３０】
図５は、実施形態１に係る印刷装置１００がダイレクト無線通信を開始或いは停止させるＵＩ画面の一例を示す図である。このＵＩ画面は操作部２１１に表示される。
【００３１】
図５（Ａ）は、デフォルトの画面例を示し、ダイレクト無線通信の状態は「停止中」であり、ユーザが、ダイレクト無線通信の開始を指示する開始ボタン５０１を押下するのを待っている状態である。
【００３２】
図５（Ａ）の画面でユーザが開始ボタン５０１を押下すると、図５（Ｂ）に示す画面に遷移する。ここではダイレクト無線通信の状態は「接続要求受信待ち」であり、モバイル端末１２０からの接続要求を受信するのを待っている状態である。ここでユーザが停止ボタン５０２を押下すると図５（Ａ）の画面に戻る。
【００３３】
図５（Ｃ）は、モバイル端末１２０と印刷装置１００とが無線ダイレクトで接続された状態の画面例を示す。ここではダイレクト無線通信の状態は「接続中」となる。この「接続中」状態からユーザが停止ボタン５０３を押下するか、或いはモバイル端末１２０から切断処理を受信すると、再び図５（Ａ）で示す画面に戻る。
【００３４】
図１１は、実施形態に係る印刷装置１００に設定されているローカルエリアネットワーク（ＬＡＮ）用のインターフェースで使用するポート番号へフィルタ設定を行うＵＩ画面の一例を示す図である。
【００３５】
ここではフィルタの設定は、ポート番号、受信／送信、ＴＣＰ／ＵＤＰを指定して設定できる。ユーザは、このフィルタリストの設定画面から任意のポート番号に対し、受信・送信の許可、又は拒否を設定できる。図１１では、例えばポート番号「９１００」に対して受信、及びプロトコル「ＴＣＰ」での通信を不許可にしている。図１１では、５つのポート番号に対してフィルタを設定できるようにしているが、これ以上であっても良い。またポート番号は、例えば「１０−２００」のように、ポート番号の範囲で指定できるようにしても良い。
【００３６】
尚、各ポートに対してフィルタを設定するときは、後述する図９のようなＵＩ画面を使用して行うことができる。
【００３７】
以上説明したように実施形態１によれば、ダイレクト無線通信で使用するポート番号に対してフィルタ設定を行い、そのフィルタ設定を有効或いは無効にすることができる。これにより、所望のポート番号のポートだけを使用してダイレクト無線通信を行うことができる。
【００３８】
［実施形態２］
次に本発明の実施形態２を説明する。この実施形態２では、印刷装置１００で、ポートフィルタを使用してダイレクト無線通信で利用できるサービスを規定する例を説明する。尚、実施形態２に係るシステム構成、及び印刷装置１００、ＰＣ端末１１０、モバイル端末１２０の構成は前述の実施形態１と同様であるため、その説明を省略する。
【００３９】
図６は、実施形態２に係る印刷装置１００の操作部２１１に表示されるダイレクト無線通信サービスで利用できるサービスを設定する画面例を示す図である。
【００４０】
この画面は、サービス名と、そのサービスを有効／無効にするＯＮ、ＯＦＦスイッチを含んでいる。例えばＰＲＩＮＴサービスでは、プリント機能で使用するプロトコルのポート番号「９１００」、「５１５」、「６３１」に対して、一括してプリントサービスの有効／無効を設定できる。またＳＣＡＮサービスでは、印刷装置１００のスキャナ機能で使用するプロトコルのポート番号「６７」、「４４３」に対して、一括してスキャンサービスの有効／無効を設定できる。またＳＥＮＤサービスでは、印刷装置１００のファイル送信機能で使用するポート番号「８０」、「４４３」に対して、一括して送信サービスの有効／無効を設定できる。更に、ＤＩＳＣＯＶＥＲＹサービスでは、印刷装置１００を発見するために用いるプロトコルのポート番号「５３５３」、「９０１３」に対して、一括してディスカバリサービスを設定できる。
【００４１】
図６の例では、プリント（ＰＲＩＮＴ）サービスはオン、スキャン（ＳＣＡＮ）サービスはオフ、送信（ＳＥＮＤ）サービスはオン、ディスカバリ（ＤＩＳＣＯＶＥＲＹ）サービスはオンに設定されている。これら設定を行った後、ＯＫボタンを押下することによりダイレクト無線通信で利用できる各サービスを設定することができる。
【００４２】
図７は、実施形態２に係る印刷装置１００がダイレクト無線通信でサービスを使用するための処理を説明するフローチャートである。尚、このフローチャートに示す各ステップは、ＣＰＵ２０１がＲＯＭ２０３等のメモリに格納された制御プログラムをＲＡＭ２０２に展開して実行することによって実現される。尚、図７において、Ｓ７０１〜Ｓ７０２，Ｓ７０５の処理は、前述の実施形態１に係る図３のＳ３０１，Ｓ３０２，Ｓ３０４と同じであるため、その説明を省略する。
【００４３】
Ｓ７０３でＣＰＵ２０１は、図６の画面を介して設定されてＲＡＭ２０２に記憶されている各サービスに対する設定情報を参照し、ダイレクト無線通信で、各サービスを利用できるかどうか確認する。そしてＳ７０４に進みＣＰＵ２０１は、ダイレクト無線通信で利用できるように設定されているサービスで必要なポート番号を確認し、そのポート番号のポートでのみ無線通信できるよう設定して、この処理を終了する。
【００４４】
これにより、印刷装置１００は、ダイレクト無線通信を行う際、許可されたサービス以外との通信を行うことができないようにできる。
【００４５】
以上説明したように実施形態２によれば、ユーザはダイレクト無線通信で利用できるサービスを設定し、ダイレクト無線通信におけるポート番号のフィルタ設定を有効にする。これにより、利用できるサービスで使用するポート番号以外のポートを介したダイレクト無線通信を排除できる。
【００４６】
［実施形態３］
次に本発明の実施形態３を説明する。この実施形態３では、印刷装置１００で、ダイレクト無線通信におけるポート番号のフィルタ設定の例を説明する。尚、実施形態３に係るシステム構成、及び印刷装置１００、ＰＣ端末１１０、モバイル端末１２０の構成は前述の実施形態１と同様であるため、その説明を省略する。
【００４７】
図８は、実施形態３に係る印刷装置１００の操作部２１１に表示される、ダイレクト無線通信用のポートへのフィルタ設定を行うＵＩ画面の一例を示す図である。
【００４８】
図８では、このフィルタ設定を利用するかどうかを指定するボタン８０１と、デフォルトのフィルタ設定を許可するか否かを指示するボタン８０２を有している。ボタン８０１による設定は、前述の実施形態１の図４のＯＮ，ＯＦＦボタンと同じである。
【００４９】
デフォルトのフィルタ設定は、例えばＲＯＭ２０３或いはＨＤＤ２０４に記憶されている。ボタン８０１のＯＫボタンが選択されると、ダイレクト無線通信におけるポートのフィルタ設定を有効にし、ＯＦＦボタンが選択されると、ダイレクト無線通信でのポートのフィルタ設定を無効にする。またボタン８０２で「拒否」が選択されると、デフォルトのフィルタ設定を採用しないようにし、「許可」が選択されると、デフォルトのフィルタ設定を採用する。
【００５０】
ここでボタン８０１で「ＯＮ］が選択されると、後述するポートのフィルタリストを許可リストにするか、拒否リストにするかを選択できる。また例えばボタン８０２で「拒否」が選択されると、無線通信を許可するポート番号が登録されていない場合は、全てのポートでの無線通信が拒否される。
【００５１】
上述のポートのフィルタリストは、ダイレクト無線通信用のインターフェース専用の設定であり、例えば有線ＬＡＮインターフェースからの通信には影響しない。
【００５２】
図９は、実施形態に係る印刷装置１００の操作部２１１に表示されるダイレクト無線通信用のポートに設定されるフィルタリストの画面の一例を示す図である。
【００５３】
ここではフィルタの設定は、ポート番号、受信／送信、ＴＣＰ／ＵＤＰを指定して設定できる。ユーザは、このフィルタリストの設定画面を介して、任意のポート番号に対し、受信・送信の許可、又は拒否を設定できる。図９では、例えばポート番号「９１００」に対して受信、及びプロトコル「ＴＣＰ」での通信を不許可にしている。図９では、５つのポート番号に対してフィルタを設定できるようにしているが、これ以上であっても良い。編集ボタンは、各対応するフィルタの設定を更新する際、ユーザはその編集ボタンを押下して、そのフィルタ設定を変更することができる。またポート番号は、例えば「１０−２００」のように、所定のポート番号の範囲を指定して、それらポート番号に対応する複数のポートに同じフィルタ設定を行うことができるようにしても良い。
【００５４】
図１０は、実施形態３に係る印刷装置１００がダイレクト無線通信するときのネットワークポートの制御処理を説明するフローチャートである。尚、このフローチャートに示す各ステップは、ＣＰＵ２０１がＲＯＭ２０３等のメモリに格納された制御プログラムをＲＡＭ２０２に展開して実行することによって実現される。尚、図１０において、Ｓ１００１、Ｓ１００２，Ｓ１００５の処理は、前述の実施形態１に係る図３のＳ３０１，Ｓ３０２，Ｓ３０４と同じであるため、その説明を省略する。
【００５５】
Ｓ１００３でＣＰＵ２０１は、図９の画面を介して設定されＲＡＭ２０２に記憶されている情報を参照して、ダイレクト無線接続用ポートのフィルタリストに、ポート番号が設定されているかどうかを判定する。ここで、フィルタリストにポート番号が設定されている場合はＳ１００４に進みＣＰＵ２０１は、そのフィルタリストに登録されている設定通りにポートフィルタ処理を行う。即ち、そのフィルタリストに登録されていない通信が許可されているポート番号のポートのみを介して通信できるように設定して、この処理を終了する。一方、Ｓ１００３でＣＰＵ２０１は、フィルタリストに登録されている情報がないと判定するとＳ１００６に進み、図８のボタン８０２でデフォルトのフィルタ設定に従ってポートフィルタ処理を行って、この処理を終了する。
【００５６】
これにより印刷装置１００は、ダイレクト無線接続のインターフェースを介してデータを送受信する際、許可されたポート番号以外のポートを介した通信をできないようにすることができる。
【００５７】
以上説明したように実施形態３によれば、ダイレクト無線通信で使用するポート番号に対するフィルタ設定を有効にするように指示されているとき、フィルタ設定がなされていないときは、デフォルトのフィルタ設定を使用するかどうか選択できる。これにより、フィルタ設定がなされていないときでも、許可されたポート番号のポートだけを使用してダイレクト無線通信を行うことができる。
【００５８】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００５９】
本発明は上記実施形態に制限されるものではなく、本発明の精神及び範囲から離脱することなく、様々な変更及び変形が可能である。従って、本発明の範囲を公にするために、以下の請求項を添付する。
【符号の説明】
【００６０】
１００…印刷装置、１２０…モバイル端末、２０１…ＣＰＵ
【図１】
0006622609.tif 000002
【図２】
0006622609.tif 000003
【図３】
0006622609.tif 000004
【図４】
0006622609.tif 000005
【図５】
0006622609.tif 000006
【図６】
0006622609.tif 000007
【図７】
0006622609.tif 000008
【図８】
0006622609.tif 000009
【図９】
0006622609.tif 000010
【図１０】
0006622609.tif 000011
【図１１】
0006622609.tif 000012